(57)【要約】【課題】  半身浴用の腰掛けと、腕休め用のアームレストとを備えた浴槽において、快適に入浴できるようにすると共に、湯張りするときの湯量を節減できるようにする。【解決手段】  半身浴用の腰掛け１と、この腰掛け１に座って半身浴する際に腕を載せて休めるための半身浴用のアームレスト２と、また腰掛け１と反対側の深底部３に座って全身浴する際に腕を載せて休めるための全身浴用のアームレスト４とを備える。上記の半身浴用のアームレスト２の幅Ｄ１を、全身浴用のアームレスト４の幅Ｄ２より広く形成する。【選択図】      図１
2012040089.tif 000002
【特許請求の範囲】
【請求項１】
半身浴用の腰掛けと、この腰掛けに座って半身浴する際に腕を載せて休めるための半身浴用のアームレストと、また腰掛けと反対側の深底部に座って全身浴する際に腕を載せて休めるための全身浴用のアームレストとを備えている浴槽であって、上記の半身浴用のアームレストの幅が、全身浴用のアームレストの幅より広く形成されていることを特徴とする浴槽。
【請求項２】
請求項１記載の浴槽であって、半身浴用のアームレストと全身浴用のアームレストが、独立して形成されていることを特徴とする浴槽。
【請求項３】
請求項２記載の浴槽であって、半身浴用のアームレストの端面が、深底部の底面まで延ばされ、且つ平面状に形成されていることを特徴とする浴槽。
【請求項４】
請求項２又は３記載の浴槽であって、全身浴用のアームレストの端面が深底部の底面まで延ばされ、且つ深底部の内側面に次第に収束するよう形成されていることを特徴とする浴槽。
【請求項５】
請求項２乃至４の何れかに記載の浴槽であって、半身浴用のアームレストの腕載せ面の先端が、上向きに傾斜されて掴み箇所に形成されていることを特徴とする浴槽。
【請求項６】
請求項１記載の浴槽であって、半身浴用のアームレストと全身浴用のアームレストが、連続状に形成され、各アームレストが作る内壁面が深底部の底面と腰掛けまで延ばされ、この内壁面に、入浴者が全身浴時に膝を配置するための凹み部が形成されていることを特徴とする浴槽。
【請求項７】
請求項１乃至６の何れかに記載の浴槽であって、半身浴用のアームレストの腕載せ面が、その先端に向かって上り勾配の傾斜面状に形成されていることを特徴とする浴槽。
【発明の詳細な説明】
【技術分野】
【０００１】
本発明は浴槽に関し、更に詳しくは半身浴用の腰掛けと、入浴時に腕を載せて休めるためのアームレストとを備えている浴槽に関するものである。
【背景技術】
【０００２】
従来、この種の浴槽としては、例えば特許文献１に記載されているものがある。
この従来品は、上から見て長方形の浴槽の一方側に、半身浴用の腰掛けが段差状に形成され、また腕を載せて休めるためのアームレストが腰掛け周りから深底部の両内側面にかけて連続状に形成されている。
【０００３】
ところで、この種の浴槽は、腰掛けやアームレストによって快適に入浴でき、また腰掛けやアームレストによって容積が小さくなり、湯張りする際の湯量を節減できるものである。
ただ、従来品は、腰掛け周りのアームレストと、深底部の両内側面のアームレストとが、同じ幅で形成されていた。
従って従来品の場合、アームレストの節水機能は、副次的なものに過ぎなかった。
【先行技術文献】
【特許文献】
【０００４】
【特許文献１】特開２００６−１３０１３５号公報
【発明の概要】
【発明が解決しようとする課題】
【０００５】
本発明は、このような従来品の問題点に鑑み、提案されたものである。
従って本発明の解決しようとする技術的課題は、半身浴用の腰掛けと、腕休め用のアームレストとが形成されている浴槽において、快適に入浴でき、しかも湯張りするときの湯量を節減できるよう形成した浴槽を提供することにある。
【課題を解決するための手段】
【０００６】
本発明は、上記の課題を解決するため、次のような技術的手段を採る。
即ち本発明は、図１、図２等に示されるように、半身浴用の腰掛け１と、この腰掛け１に座って半身浴する際に腕を載せて休めるための半身浴用のアームレスト２と、また腰掛け１と反対側の深底部３に座って全身浴する際に腕を載せて休めるための全身浴用のアームレスト４とを備えている浴槽であって、上記の半身浴用のアームレスト２の幅Ｄ１が、全身浴用のアームレスト４の幅Ｄ２より広く形成されていることを特徴とする（請求項１）。
【０００７】
本発明の浴槽は、通常、上から見て長方形に形成されるが、矩形に形成される場合には限られず、例えば楕円形などでも良い。また本発明の場合、上記の幅Ｄ１は、通常、７０〜１００（ｍｍ）、幅Ｄ２は５０〜７０（ｍｍ）に選定される。
【０００８】
而して、本発明の場合、半身浴用のアームレスト２と全身浴用のアームレスト４は、図１等に示されるように、独立して形成されているのでも（請求項２）、或いは図６、図７に示されるように、連続状に形成されているのでも良い。
請求項２記載の本発明の場合は、半身浴時や全身浴時の姿勢から立ち上がるとき、半身浴用又は全身浴用のアームレスト２、４の先端に手を掛けて立ち上がることができるから、これによれば使い勝手が良くなり、快適性を高めることができる、という利点がある。
【０００９】
また本発明は、図１〜図３等に示されるように、半身浴用のアームレスト２の端面２ａが、深底部３の底面３ａまで延ばされ、且つ平面状に形成されているのが好ましい（請求項３）。
なぜならこれによると、全身浴時に足６ａの先を、半身浴用のアームレスト２の端面２ａにあてがって突っ張った姿勢をとることができ、身体が浮いたり、不安定になることを防止できるからである。なお、本発明の場合、半身浴用のアームレスト２の端面２ａは、通常、浴槽の短手方向に沿って、換言すると内側面３ｂに対し直交状に形成されるが、これに限定されるものではなく、傾斜状に形成されているのでも良い。
【００１０】
また本発明は、図１、図２等に示されるように、全身浴用のアームレスト４の端面４ａが深底部３の底面３ａまで延ばされ、且つ深底部３の内側面３ｂに次第に収束するよう形成されているのが好ましい（請求項４）。
なぜならこれによると、図５に示されるように、入浴者６が深底部３に座って全身浴したとき、足６ａを開くと、膝６ｂを半身浴用のアームレスト２の端面２ａの前側スペースＳに配置でき、窮屈になることなく、快適に入浴できるからである。
【００１１】
また本発明は、図４に示されるように、半身浴用のアームレスト２の腕載せ面の先端が、上向きに傾斜されて掴み箇所５に形成されているのが好ましい（請求項５）。
なぜならこれによると、掴み箇所５を利用して半身浴の姿勢から立ち上がることができ、その分、快適に入浴できるからである。また掴み箇所５は、特別な部品を必要としていないため、これによれば汚れが付きにくく、掃除が容易で、コストを安価に抑えることができるからである。
【００１２】
また本発明は、図８、図９に示されるように、半身浴用のアームレスト２と全身浴用のアームレスト４が、連続状に形成され、各アームレスト２、４が作る内壁面７が深底部３の底面３ａと腰掛け１まで延ばされ、この内壁面７に、入浴者６が全身浴時に膝６ｂを配置するための凹み部８が形成されているのが好ましい（請求項６）。
なぜならこれによると、半身浴用のアームレスト２と全身浴用のアームレスト４が連続している分、節水機能を高めることができ、また凹み部８によって全身浴時に膝６ｂが窮屈になることを防止できるからである。
【００１３】
また本発明は、図１１に示されるように、半身浴用のアームレスト２の腕載せ面が、その先端に向かって上り勾配の傾斜面状に形成されているのでも良い（請求項７）。
なぜならこれによると、半身浴で、例えば読書するとき、腕が楽な姿勢に支持され、その分、快適に入浴できるからである。
【発明の効果】
【００１４】
本発明は、このように半身浴用のアームレストの幅を、全身浴用のアームレストの幅より広く形成しているものである。
従って本発明によれば、半身浴時や全身浴時にアームレストを利用できるだけではなく、半身浴時に、腕を身体（脇）からあまり離すことなく、自然な状態で半身浴用のアームレストに載せることができ、その分、快適に入浴できるものである。
また本発明品は、このように半身浴用のアームレストの幅が全身浴用のアームレストの幅より大きく形成されているから、その分、湯張りするときの湯量を減らすことができ、節水効果を高く得られるものである。
【図面の簡単な説明】
【００１５】
【図１】本発明の浴槽の好適な一実施形態を示す斜視図である。
【図２】同上浴槽の平面図である。
【図３】図２のＩＩＩ−ＩＩＩ線の断面図である。
【図４】同上浴槽の要部拡大断面図である。
【図５】同上浴槽の使用状態を示す平面図である。
【図６】同上浴槽の他の実施形態を示す平面図である。
【図７】図６の実施形態の浴槽の斜視図である。
【図８】同上浴槽の他の実施形態を示す平面図である。
【図９】図８の実施形態の浴槽の斜視図である。
【図１０】同上浴槽の他の実施形態を示す要部拡大斜視図である。
【図１１】Ａ、Ｂとも、同上浴槽の他の実施形態を示す要部断面図である。
【図１２】同上浴槽の他の実施形態を示す平面図である。
【図１３】図１２のＸＩＩＩ−ＸＩＩＩ線の断面図である。
【図１４】Ａ、Ｂ、Ｃとも、全身浴用アームレストの他の実施形態を示す要部平面図である。
【発明を実施するための形態】
【００１６】
以下、本発明を実施するための好適な一実施形態を、添付図面に従って説明する。
この実施形態の本発明の浴槽は、図１等に示されるように、上から見て長方形に形成され、半身浴用の腰掛け１と、この腰掛け１に座って半身浴する際に腕を載せて休めるための半身浴用のアームレスト２と、また腰掛け１と反対側の深底部３に座って全身浴する際に腕を載せて休めるための全身浴用のアームレスト４とを備えている。
【００１７】
上記の半身浴用のアームレスト２の幅Ｄ１は、全身浴用のアームレスト４の幅Ｄ２より広く形成されている。この実施形態の場合、幅Ｄ１は１００（ｍｍ）、幅Ｄ２は７０（ｍｍ）に選定されている。また半身浴用のアームレスト２と全身浴用のアームレスト４は、図１、図２等に示されるように、独立して形成されている。
【００１８】
またこの実施形態の場合、半身浴用のアームレスト２の端面２ａは、深底部３の底面３ａまで延ばされている。そして、半身浴用のアームレスト２の端面２ａは、浴槽の短手方向に沿って、換言すると内側面３ｂに対し直交状態で平面状に形成されている。また半身浴用のアームレスト２の端面２ａは、上下方向にわたって幅Ｄ１と同じ長さに形成されている。
【００１９】
またこの実施形態では、全身浴用のアームレスト４の端面４ａは、深底部３の底面３ａまで延ばされている。そして、全身浴用のアームレスト４の端面４ａは、深底部３の内側面３ｂに次第に収束するよう形成されている。
【００２０】
この場合、端面４ａは、この実施形態では上から見て穏やかな曲線で湾曲面状に形成されているが、本発明はこれに限定されるものではない。即ち、端面４ａは、図１４Ａに示されるように、２つの曲面４ａ１が連なった形で形成されるのでも、また同図Ｂに示されるように、直線で傾斜面状に形成されるのでも、或いは同図Ｃに示されるように、半身浴用のアームレスト２の端面２ａと正対する面４ａ２と、これに連なる傾斜面部４ａ３とで形成されているのでも良い。
【００２１】
またこの実施形態の本発明品は、図４等に示されるように、半身浴用のアームレスト２の腕載せ面の先端部が先端に向かって上向きに傾斜され、掴み箇所５に形成されている。この掴み箇所５は、例えば大人の手の手首から指の付け根に近い側の関節までの長さに対応して、約１０（ｃｍ）位の長さに形成され、先端（上端）は、幅方向にわたって同じ高さに形成されている。
【００２２】
次に本発明品の使用例等について説明する。
本発明品は、図５に示されるように、入浴者６が深底部３に座って全身浴したり、腰掛け１に座って半身浴するのに使用する。この場合、半身浴は、足６ａを投げ出す全身浴に比べ、背が立ち気味になり、入浴姿勢が良くなるため、本発明によれば、半身浴用のアームレスト２の幅を広げても、半身浴の快適性を損なうことなく、節水効果を得られるものである。
【００２３】
そして、本発明は、図５に示されるように、入浴者６が、全身浴時に、例えば足６ａを開くと、膝６ｂが半身浴用のアームレスト２の端面２ａの前側スペースＳに配置可能になる。従ってこれによれば、足６ａが窮屈になることなく、リラックスした姿勢で快適に入浴できる。
【００２４】
また本発明品によると、入浴者６は、全身浴時に足６ａの先を、半身浴用のアームレスト２の端面２ａにあてがって突っ張った姿勢をとることができる。従ってこれによれば、身体が浮いたり、不安定になることを防止できる。
また半身浴の姿勢から立ち上がるときは、図４に示されるように、掴み箇所５に手を掛け、身体を引き起こすことができる。従って本発明品によれば、半身浴の座った姿勢から楽に立ち上がることができる。
【００２５】
以上の処において、本発明は、図６、図７に示されるように、半身浴用のアームレスト２と全身浴用のアームレスト４とが連続状に形成されているのでも良い。またこの場合は、図８、図９に示されるように、各アームレスト２、４が作る内壁面７が深底部３の底面３ａと腰掛け１まで延ばされ、この内壁面７に、入浴者６が全身浴時に膝６ｂを配置するための凹み部８が形成されているのでも良い。この実施形態の場合、凹み部８は凹湾曲状に形成され、内壁面７の上下方向の全体にわたって形成されている。
【００２６】
この場合、凹み部８は、例えば図１０に示されるように、内壁面７に部分的に形成されているのでも良い。この実施形態の凹み部８は、深底部３の底面３ａから所定の高さだけ内壁面７が凹湾曲面状に凹まれることにより形成されている。凹み部８がこのように形成される場合は、凹み部８の形成面積が小さくなるため、その分、湯張りする際の湯量を節減できる。
【００２７】
また本発明は、図１１Ａ、Ｂに示されるように、半身浴用のアームレスト２の腕載せ面が、その先端に向かって上り勾配の傾斜面状に形成されているのでも良い。この場合は、半身浴時に、例えば読書するとき、腕を楽な姿勢で支持できるものである。なお、この場合、半身浴用のアームレスト２は、同図Ａに示されるように、全身浴用のアームレスト４と独立しているのでも、或いは同図Ｂに示されるように、連続状に形成されているのでも良い。
【００２８】
また掴み箇所５は、図１２、図１３に示されるように、半身浴用のアームレスト２の腕載せ面の先端の内側の角部９に向かって上向きに傾斜され、この内側の角部９が最も高くなる状態で形成されているのでも良い。この場合は、半身浴の座った姿勢から立ち上がるとき、角部９に親指と人差し指の付け根を中心に手を掛けて身体を持ち上げることができ、力を入れ易くなる、という利点がある。
【符号の説明】
【００２９】
１      半身浴用の腰掛け
２      半身浴用のアームレスト
３      深底部
４      全身浴用のアームレスト
Ｄ１    半身浴用のアームレストの幅
Ｄ２    全身浴用のアームレストの幅
【図１】
2012040089.tif 000003
【図２】
2012040089.tif 000004
【図３】
2012040089.tif 000005
【図４】
2012040089.tif 000006
【図５】
2012040089.tif 000007
【図６】
2012040089.tif 000008
【図７】
2012040089.tif 000009
【図８】
2012040089.tif 000010
【図９】
2012040089.tif 000011
【図１０】
2012040089.tif 000012
【図１１】
2012040089.tif 000013
【図１２】
2012040089.tif 000014
【図１３】
2012040089.tif 000015
【図１４】
2012040089.tif 000016